(57)【要約】【課題】非接触通信機能のセキュリティ確保と短時間での非接触通信とを両立させることができる非接触通信機器等を提供する。【解決手段】本非接触通信機器は、例えば携帯電話１０であって、非接触通信で用いられるアンテナ１２と、アンテナ１３により受信された搬送波を検出する搬送波検出部２１と、アンテナ１２により受信された信号に対してデコード処理を行う受信デコード部２３と、アンテナ１２により送信される信号を生成するエンコード処理を行う送信エンコード部２６と、ＣＰＵ１８を備える。ＣＰＵ１８は、搬送波検出部２１を動作状態とし、受信デコード部２３と送信エンコード部２６とを非動作状態とするロック状態と、搬送波検出部２１と受信デコード部２３と送信エンコード部２６とを動作状態とする非ロック状態と、を切り替える。【選択図】図１
2014225046.tif 000002
【特許請求の範囲】
【請求項１】
非接触通信で用いられるアンテナと、
前記アンテナにより受信された搬送波を検出する搬送波検出部と、
前記アンテナにより受信された信号に対してデコード処理を行う受信デコード部と、
前記アンテナにより送信される信号を生成するエンコード処理を行う送信エンコード部と、
前記搬送波検出部を動作状態とし、前記受信デコード部と前記送信エンコード部とを非動作状態とするロック状態と、前記搬送波検出部と前記受信デコード部と前記送信エンコード部とを動作状態とする非ロック状態と、を切り替えるロック状態制御部と、
を備える非接触通信機器。
【請求項２】
請求項１に記載の非接触通信機器であって、更に、
表示部と、
前記ロック状態制御部による前記ロック状態の設定時、前記搬送波検出部により搬送波が検出された場合、前記ロック状態から前記非ロック状態へ切り替えるためのロック解除画面を前記表示部に表示させる表示制御部と、
を備える非接触通信機器。
【請求項３】
請求項２に記載の非接触通信機器であって、更に、
報知部と、
通信回線を介して所定信号を通信する通信部と、
他の通信機器からの所定信号の受信を前記報知部に報知させる報知制御部と、
を備え、
前記報知制御部は、前記搬送波検出部により搬送波が検出されてから前記アンテナにより非接触通信の終了コマンドを受信するまでの期間に所定信号の受信があった場合、前記ロック状態制御部により前記ロック状態が解除されるまで前記所定信号の受信の報知を待機させ、
前記表示制御部は、前記期間に前記所定信号の受信があった場合、前記所定信号の受信時に前記ロック解除画面を前記表示部に表示させる非接触通信機器。
【請求項４】
請求項２に記載の非接触通信機器であって、
報知部と、
通信回線を介して所定信号を通信する通信部と、
他の通信機器からの所定信号の受信を前記報知部に報知させる報知制御部と、
を備え、
前記報知制御部は、前記搬送波検出部により搬送波が検出されてから前記アンテナにより非接触通信の終了コマンドを受信するまでの期間に所定信号の受信があった場合、前記所定信号の受信時に前記所定信号の受信を前記報知部に報知させ、
前記表示制御部は、前記期間に所定信号の受信があった場合、前記所定信号の受信に基づく通信が終了するまで前記ロック解除画面の表示を待機させる非接触通信機器。
【請求項５】
請求項３または４に記載の非接触通信機器であって、更に、
前記所定信号を受信したときに、優先的に前記所定信号の受信を報知するか、または、優先的にロック状態から非ロック状態に切り替えるか、を設定する優先設定部を備える非接触通信機器。
【請求項６】
請求項３ないし５のいずれか１項に記載の非接触通信機器であって、更に、
前記搬送波検出部により搬送波が検出されてから前記アンテナにより非接触通信の終了コマンドを受信するまでの期間に所定信号の受信があった場合、前記所定信号の受信に対する操作を禁止する操作制御部を備える非接触通信機器。
【請求項７】
搬送波検出部により、非接触通信で用いられるアンテナにより受信された搬送波を検出するステップと、
受信デコード部により、前記アンテナにより受信された信号に対してデコード処理を行うステップと、
送信エンコード部により、前記アンテナにより送信される信号を生成するエンコード処理を行うステップと、
前記搬送波検出部を動作状態とし、前記受信デコード部と前記送信エンコード部とを非動作状態とするロック状態と、前記搬送波検出部と前記受信デコード部と前記送信エンコード部とを動作状態とする非ロック状態と、を切り替えるステップと、
を有する非接触通信方法。
【発明の詳細な説明】
【技術分野】
【０００１】
本発明は、非接触通信機器および非接触通信方法に関する。特に、非接触通信の動作をロック状態あるいは非ロック状態に切り替え可能な非接触通信機器等に関する。
【背景技術】
【０００２】
従来、非接触で通信を行う非接触通信システムが知られている（例えば、特許文献１参照）。非接触通信システムでは、リーダライタ装置が電波を飛ばし、非接触通信機器がこの電波からコマンドを読み取る。非接触通信機器として、非接触通信カードまたは非接触通信カード機能内蔵の携帯電話が挙げられる。
【０００３】
非接触通信の一般的な動作は、以下のとおりである。リーダライタ装置は、非接触通信機器と通信を行う際、搬送波信号（例えば、１３．５６ＭＨｚの正弦波）と、この搬送波信号を振幅変調したコマンド信号とを非接触通信機器に送信する。
【０００４】
非接触通信機器は、搬送波信号を受信すると、リーダライタ装置の通信エリア内に存在することを認識し、コマンド信号を受信する。
【０００５】
さらに、リーダライタ装置からの搬送波信号に対し、非接触通信機器は、アンテナ負荷を変化させること（負荷変調）で応答する。そして、リーダライタ装置が、この負荷変調された信号を受信すると、通信が完了する。
【先行技術文献】
【特許文献】
【０００６】
【特許文献１】特開２００９−１７５９７６号公報
【発明の概要】
【発明が解決しようとする課題】
【０００７】
しかしながら、従来の非接触通信機器では、以下のような事情があった。従来の非接触通信システムでは、セキュリティ向上や消費電力低減のために、非接触通信機能をロックする場合、非接触通信モジュール全体を動作不能状態にしていた。
【０００８】
しかし、非接触通信モジュール全体を動作不能状態にすると、全く非接触通信ができない状態となる。このため、例えば自動改札機を通過する前に、非接触通信機能を手動で回復させる必要があるが、この操作に手間がかかり、短時間で非接触通信を行わせることができなかった。
【０００９】
図９は従来の非接触通信カード機能付き携帯電話におけるロック解除時の画面の遷移を示す図である。ユーザは、待ち受け画面１０１（図９（Ａ）参照）から、非接触通信のロック解除を行う場合、まず、設定画面１０２を開き、「セキュリティ」の項目をクリックする（図９（Ｂ）参照）。
【００１０】
さらに、セキュリティ設定画面１０３で「非接触通信」の項目をクリックする（図９（Ｃ）参照）。この「非接触通信」の項目がクリックされることによって開かれる、ロック解除画面１０４において、ユーザは、操作部を介してロック解除コード（ＰＩＮコード）を入力する（図９（Ｄ）参照）。ＰＩＮ（Ｐｅｒｓｏｎａｌ  Ｉｄｅｎｔｉｆｉｃａｔｉｏｎ  Ｎｕｍｂｅｒ）コードが認証されると、非接触通信のロックが解除される。このように、非接触通信等のロック解除操作には手間がかかった。
【００１１】
一方、短時間で非接触通信を行わせることを優先させると、非接触通信モジュール全体を動作可能状態とする必要があるので、セキュリティを確保することが難しかった。
【００１２】
本発明は、上記従来の事情に鑑みてなされたものであって、非接触通信機能のセキュリティ確保と短時間での非接触通信とを両立させることができる非接触通信機器および非接触通信方法を提供することを目的とする。
【課題を解決するための手段】
【００１３】
本発明の非接触通信機器は、非接触通信で用いられるアンテナと、前記アンテナにより受信された搬送波を検出する搬送波検出部と、前記アンテナにより受信された信号に対してデコード処理を行う受信デコード部と、前記アンテナにより送信される信号を生成するエンコード処理を行う送信エンコード部と、前記搬送波検出部を動作状態とし、前記受信デコード部と前記送信エンコード部とを非動作状態とするロック状態と、前記搬送波検出部と前記受信デコード部と前記送信エンコード部とを動作状態とする非ロック状態と、を切り替えるロック状態制御部と、を備える。
【００１４】
この構成によれば、非接触通信の動作がロック状態にあっても、搬送波を検出するので、短時間で非接触通信の動作を非ロック状態に切り替えることができる。従って、非接触通信機能のセキュリティ確保と短時間での非接触通信とを両立させることができる。
【００１５】
本発明の非接触通信方法は、搬送波検出部により、非接触通信で用いられるアンテナにより受信された搬送波を検出するステップと、受信デコード部により、前記アンテナにより受信された信号に対してデコード処理を行うステップと、送信エンコード部により、前記アンテナにより送信される信号を生成するエンコード処理を行うステップと、前記搬送波検出部を動作状態とし、前記受信デコード部と前記送信エンコード部とを非動作状態とするロック状態と、前記搬送波検出部と前記受信デコード部と前記送信エンコード部とを動作状態とする非ロック状態と、を切り替えるステップと、を有する。
【００１６】
この方法によれば、非接触通信の動作がロック状態にあっても、搬送波を検出するので、短時間で非接触通信の動作を非ロック状態に切り替えることができる。従って、非接触通信機能のセキュリティ確保と短時間での非接触通信とを両立させることができる。
【発明の効果】
【００１７】
本発明によれば、非接触通信機能のセキュリティ確保と短時間での非接触通信とを両立させることができる。
【図面の簡単な説明】
【００１８】
【図１】本発明の第１の実施形態における非接触通信システムの構成例を示すブロック図
【図２】本発明の第１の実施形態における携帯電話とリーダライタ装置との間で非接触通信が行われる様子の一例を示す図
【図３】本発明の第１の実施形態におけるリーダライタ装置の送信信号ならびに携帯電話の受信信号および応答信号の一例を示すタイミングチャート
【図４】本発明の第１の実施形態における携帯電話による非接触通信時のロック解除動作の一例を示すフローチャート
【図５】本発明の第１の実施形態における待ち受け画面からロック解除画面に遷移する様子の一例を示す図
【図６】本発明の第２の実施形態における着信があった場合の携帯電話による非接触通信時のロック解除動作の一例を示すフローチャート
【図７】本発明の第２の実施形態における着信があった場合の携帯電話による非接触通信時のロック解除動作の一例を示すフローチャート（図６の続き）
【図８】本発明の第２の実施形態におけるメール受信があった場合の携帯電話による非接触通信時のロック解除動作の一例を示すフローチャート
【図９】従来の非接触通信カード機能付き携帯電話におけるロック解除時の画面の遷移を示す図
【発明を実施するための形態】
【００１９】
以下、本発明の実施形態について図面を用いて説明する。
【００２０】
本実施形態の非接触通信機器は、例えば、ユーザが自動改札機を通過する際、自動改札機に内蔵されたリーダライタ装置と、ユーザが所持する非接触通信カード機能内蔵の携帯電話とが非接触通信を行う非接触通信システムに適用される。
【００２１】
（第１の実施形態）
図１は本発明の第１の実施形態における非接触通信システムの構成例を示すブロック図である。図１に示す非接触通信システム１は、自動改札機４０（図２参照）に内蔵されたリーダライタ装置５と、ユーザが所持する非接触通信カード機能内蔵の携帯電話１０と、を有して構成される。
【００２２】
リーダライタ装置５は、アンテナ７を有し、このアンテナ７を介して携帯電話１０と通信を行うものであり、１３．５６ＭＨｚの正弦波を有する搬送波信号と、この搬送波信号を振幅変調したコマンド信号と、からなる電波を時分割で送信する。すなわち、搬送波信号→コマンド信号→搬送波信号の順で電波が送信される。
【００２３】
一方、携帯電話１０は、アンテナ１２、非接触通信機能処理部１５、ＣＰＵ１８、音声部１３、通信部１４、および入力表示器１９を有する。アンテナ１２は、アンテナ７と電波の送受信を行う。
【００２４】
アンテナ１２は、非接触通信で用いられるアンテナである。非接触通信機能処理部１５は、リーダライタ装置５と非接触で通信を行う機能を有し、搬送波検出部２１、受信デコード部２３、および送信エンコード部２６を備える。
【００２５】
搬送波検出部２１は、アンテナ１２を介して受信した搬送波信号（搬送波）を検出する。具体的には、搬送波検出部２１は、１３．５６ＭＨｚの信号のみを通過させるバンドパスフィルタで構成される。
【００２６】
受信デコード部２３は、アンテナ１２を介して受信したコマンド信号に対して復調（デコード処理）等の処理を行う。送信エンコード部２６は、リーダライタ装置５から送信された搬送波信号に対し、アンテナ１２のインピーダンスを変化させる（負荷変調）ことで応答信号を生成し（エンコード処理）、この応答信号をリーダライタ装置５に送信する。
【００２７】
ＣＰＵ１８は、携帯電話１０全体を制御するものであり、内蔵するＲＯＭ（図示せず）に格納された後述する動作プログラムを実行する。また、ＣＰＵ１８は、非接触通信機能処理部１５にロックをかける機能ロック部１８ａを有する。非接触通信機能処理部１５内の受信デコード部２３および送信エンコード部２６は、信号線１７ａ、１７ｂを介して機能ロック部１８ａ（ロック状態制御部の一例）にそれぞれ接続され、各動作にロックがかけられる。
【００２８】
つまり、ロック状態のときには、受信デコード部２３および送信エンコード部２６は、非動作状態となる。また、ＣＰＵ１８は、搬送波検出部２１の動作には、ロックをかけない。つまり、ロック状態であっても、搬送波検出部２１は、動作状態のままであり、常時動作している。一方、ロックがかけられていない非ロック状態のときには、搬送波検出部２１、受信デコード部２３、送信エンコード部２６のいずれも動作状態となる。
【００２９】
このように、ＣＰＵ１８は、搬送波検出部２１を動作状態とし、受信デコード部２３と送信エンコード部２６とを非動作状態とするロック状態と、搬送波検出部２１と受信デコード部２３と送信エンコード部２６とを動作状態とする非ロック状態と、を切り替えるロック状態制御部としての機能を有する。
【００３０】
入力表示器１９は、携帯電話１０の例えば筐体前面に配置され（図２参照）、各種の情報を画面に表示する表示部３８、およびユーザのキー入力を受け付けるキー入力部３９を有する。また、入力表示器１９には、ＬＥＤ１９ａが設けられており、搬送波検出部２１によって搬送波信号が検出された場合、通信可能領域にあることを報知すべく、ＣＰＵ１８の指示に従って点灯する。これにより、ユーザは通信可能領域に入ったことを認識することができる。
【００３１】
音声部１３は、スピーカ１３ａおよびマイク１３ｂを有し、通話を可能にする。通信部１４は、アンテナ１４ａおよび通信回線を介して無線基地局（図示せず）と接続され、音声通話やメールの送受信を行う。音声通話およびメールの送受信は、通信回線を介した所定信号の通信の一例である。
【００３２】
また、表示部３８、ＬＥＤ１９ａ、音声部１３は、通信部１４による他の通信機器からの着信やメール受信などの所定信号の受信が行われたことを、携帯電話１０のユーザに対して報知する報知部としての機能を有する。また、ＣＰＵ１８は、上記の報知部に上記の情報を報知させる報知制御部としての機能も有する。
【００３３】
上記構成を有する非接触通信システム１の非接触通信動作の一例を示す。図２はユーザ３０が自動改札機４０を通過する際、ユーザ３０によって把持される携帯電話１０と自動改札機４０に内蔵されたリーダライタ装置５との間で非接触通信が行われる様子の一例を示す図である。
【００３４】
前述したように、リーダライタ装置５から時分割で電波が送信される。図３はリーダライタ装置５の送信信号ならびに携帯電話１０の受信信号および応答信号の一例を示すタイミングチャートである。携帯電話１０がリーダライタ装置５と通信可能な領域に入ると、期間ａでは、リーダライタ装置５から搬送波信号が送信され、携帯電話１０によりこの搬送波信号が受信される。期間ｂでは、リーダライタ装置５からコマンド信号が送信され、携帯電話１０でこのコマンド信号が受信される。期間ｃでは、携帯電話１０は、リーダライタ装置５からの搬送波信号に対して負荷変調を行い、応答信号を生成してリーダライタ装置５に送信する。これにより、非接触通信が完了する。
【００３５】
次に、非接触通信機能処理部１５がロック状態にある場合、ユーザ３０が自動改札機４０を通過する際、ユーザ３０によって把持される携帯電話１０と自動改札機４０に内蔵されたリーダライタ装置５との間で行われる非接触通信について説明する。
【００３６】
図４は携帯電話１０による非接触通信時のロック解除動作の一例を示すフローチャートである。この動作プログラムは、ＣＰＵ１８内のＲＯＭに格納されており、リーダライタ装置５からの搬送波信号を搬送波検出部２１が検出したことによる、ＣＰＵ１８の割り込み処理によって実行される。なお、搬送波検出部２１によって搬送波信号が検出された場合、ＬＥＤ１９ａの点灯指示が行われることは、前述したとおりである。
【００３７】
まず、ＣＰＵ１８は、機能ロック部１８ａによって、非接触通信機能処理部１５がロック状態にある（ロック状態の設定時）か否かを判定する（ステップＳ１）。ロック状態にない場合、ＣＰＵ１８は、前述した通信（非接触通信）を開始し（ステップＳ７）、通信終了時に終了コマンドを送信する（ステップＳ８）。この後、ＣＰＵ１８は本動作を終了する。
【００３８】
一方、ステップＳ１でロック状態にある場合、ＣＰＵ１８は、入力表示器１９の表示部３８にロック解除画面を表示させる（ステップＳ２）。図５は待ち受け画面からロック解除画面に遷移する様子の一例を示す図である。ステップＳ１でロック状態にある場合、搬送波信号が検出されたことにより、図５（Ａ）の待ち受け画面３８ａから一気に図５（Ｂ）に示すロック解除画面３８ｂに画面が遷移する。
【００３９】
ＣＰＵ１８は、ロック解除コード（ＰＩＮコード）の入力を促すロック解除画面３８ｂに対し、ユーザがキー入力部３９から正しいロック解除コードが入力されたか否かを判別する（ステップＳ３）。所定回数もしくは所定時間経過しても正しいロック解除コードが入力されない場合、ＣＰＵ１８は本動作を終了する。
【００４０】
一方、ステップＳ３で正しいロック解除コードが入力された場合、ＣＰＵ１８は、ロックを解除し、搬送波検出部２１と同様、受信デコード部２３および送信エンコード部２６を動作可能とする（ステップＳ４）。そして、ＣＰＵ１８は、前述した通信（非接触通信）を開始し（ステップＳ５）、通信終了時に終了コマンドを送信する（ステップＳ６）。この後、ＣＰＵ１８は本動作を終了する。
【００４１】
非接触通信システム１では、非接触通信機能にロックがかけられており、自動改札機を通過する際、携帯電話１０のロックをすぐに解除しなければならない状況にあっても、ユーザはあわてることなく速やかにロックを解除することができる。
【００４２】
本実施形態の携帯電話１０によれば、非接触通信の動作がロック状態にあっても、搬送波信号を検出できるので、非接触通信の動作をロック状態にしてセキュリティを確保しつつ、短時間で非接触通信の動作を非ロック状態に切り替えることができる。したがって、非接触通信機能のセキュリティ確保と短時間での非接触通信とを両立させることができる。また、非接触通信機能処理部１５をロック状態にすることで、省電力化を図ることができる。
【００４３】
また、ＣＰＵ１８が、ロック状態のときに、搬送波検出部２１により搬送波が検出された場合、ロック状態から非ロック状態へ切り替えるためのロック解除画面を、入力表示器１９の表示部３８に表示させる表示制御部としての機能も有する。これにより、搬送波信号を検出すると、すぐにロック解除画面が表示されるので、簡単にロック解除の動作に移行することができる。したがって、従来のような各種の設定画面（図９（Ｂ）、（Ｃ）参照）の表示や操作を行う手間が省け、ユーザは簡単にロックを解除することができる。
【００４４】
（第２の実施形態）
本発明の第２の実施形態の非接触通信システムでは、非接触通信機能のロック解除時、他の通信機器（他の携帯電話など）から着信やメール受信などのイベントが発生した場合について説明する。
【００４５】
本実施形態の非接触通信システムの構成は、第１の実施形態の非接触通信システムの構成とほぼ同一の構成を有する。第１の実施形態の非接触通信システムと同一の構成要素については、同一の符号を用いることで、その説明を省略する。
【００４６】
はじめに、非接触通信時に、通信回線を介した所定信号の受信として着信があった場合の動作について説明する。ここでは、搬送波信号の受信時に着信があったことは、表示部３８の画面に表示されることを想定する。なお、表示部３８の代わりに、ＬＥＤ１９ａを点灯することにより報知されてもよい。また、表示部３８の代わりに、音声部１３による音声出力により報知されてもよい。
【００４７】
図６および図７は、着信があった場合の携帯電話１０による非接触通信時のロック解除動作の一例を示すフローチャートである。この動作プログラムは、ＣＰＵ１８内のＲＯＭに格納されており、リーダライタ装置５からの搬送波信号を搬送波検出部２１が検出したことによる、ＣＰＵ１８の割り込み処理によって実行される。第１の実施形態で説明した図４の処理と同一のステップ処理については、同一のステップ番号を付す。
【００４８】
まず、ＣＰＵ１８は、機能ロック部１８ａによって、非接触通信機能処理部１５がロック状態にあるか否かを判定する（ステップＳ１）。ロック状態にない場合、ＣＰＵ１８は、前述した通信を開始し（ステップＳ７）、通信終了時に終了コマンドを送信する（ステップＳ８）。この後、ＣＰＵ１８は本動作を終了する。
【００４９】
一方、ステップＳ１でロック状態にある場合、ＣＰＵ１８は、着信があったか否かを判別する（ステップＳ１Ａ）。着信がなかった場合、ＣＰＵ１８はステップＳ２の処理に進む。一方、着信があった場合、ＣＰＵ１８は、音声部１３による通話処理に移行する（ステップＳ１Ｂ）。このとき、前述したように、ＣＰＵ１８は、表示部３８の画面に、着信があったことを表示させる。この後、ＣＰＵ１８はステップＳ２の処理に進む。このように、ロック状態が判定され、ロック解除画面が表示される前に着信があった場合、通話が行われる。
【００５０】
ＣＰＵ１８は、入力表示器１９の表示部３８にロック解除画面を表示させる（ステップ２）。ロック解除画面が表示された後、ＣＰＵ１８は、再び着信があったか否かを判別する（ステップＳ２Ａ）。着信がなかった場合、ＣＰＵ１８はステップＳ３の処理に進む。一方、着信があった場合、ＣＰＵ１８は、保留にするか通話処理に移行するかを選択する（ステップＳ２Ｂ）。この選択は、例えばあらかじめキー入力部３９を介して入力されて登録された設定に従って行われる。すなわち、ユーザがロック解除画面を表示した後に着信があった場合、事前に保留にすると設定した場合には、ＣＰＵ１８は、この着信を報知することなく待機させ、保留とする（ステップＳ２Ｃ）。この後、ＣＰＵ１８はステップＳ３の処理に進む。
【００５１】
一方、事前に通話処理に移行すると設定した場合には、ＣＰＵ１８は、この着信に応じた音声部１３による通話処理に移行する（ステップＳ２Ｄ）。このとき、前述したように、ＣＰＵ１８は、表示部３８の画面に、着信があったことを表示させる。通話処理が終了すると、ＣＰＵ１８は、再びロック解除画面を入力表示器１９の表示部３８に表示させ（ステップＳ２Ｅ）、ステップＳ３の処理に進む。
【００５２】
このように、ＣＰＵ１８は、着信等の所定信号を受信したときに、優先的に所定信号の受信を報知するか、優先的にロック状態から非ロック状態に切り替える（ロック状態を解除する）か、を設定する優先設定部としての機能も有する。これにより、非接触通信機能等のロック状態の解除と、着信に対する通話と、のいずれかをユーザの指定により優先させることができ、ユーザの利便性が向上する。
【００５３】
ＣＰＵ１８は、ロック解除コード（ＰＩＮコード）の入力を促すロック解除画面３８ｂに対し、ユーザがキー入力部３９から正しいロック解除コードが入力されたか否かを判別する（ステップＳ３）。所定回数もしくは所定時間経過しても正しいロック解除コードが入力されない場合、ＣＰＵ１８は本動作を終了する。
【００５４】
一方、ステップＳ３で正しいロック解除コードが入力された場合、ＣＰＵ１８は、ロックを解除し、受信デコード部２３および送信エンコード部２６を動作可能とする（ステップＳ４）。ロックが解除された後、ＣＰＵ１８は、再び着信があったか否かを判別する（ステップＳ４Ａ）。着信がなかった場合、ＣＰＵ１８はステップＳ５の処理に進む。一方、着信があった場合、ＣＰＵ１８は、この着信を報知することなく保留とする（ステップＳ４Ｂ）。この後、ＣＰＵ１８はステップＳ５の処理に進む。
【００５５】
そして、ＣＰＵ１８は、前述した通信（非接触通信）を開始し（ステップＳ５）、通信終了時に終了コマンドを送信する（ステップＳ６）。通信終了後、ＣＰＵ１８は、保留があったか否かを判別する（ステップＳ６Ａ）。保留がなかった場合、ＣＰＵ１８は本動作を終了する。一方、保留があった場合、ＣＰＵ１８は、表示部３８等に保留があったこと（着信があったこと）を報知させ（ステップＳ６Ｂ）、本動作を終了する。
【００５６】
このように、ロック解除画面の表示前に着信があった場合には、ロック状態を解除するまでに時間が多少かかるので、まず通話を行うことが望ましい。これにより、例えば着信が緊急性を要する場合であっても、迅速に通話相手に対応することができる。なお、ロック解除画面の表示前に着信があった場合に、ロック解除を優先するようにしてもよい。これにより、例えば着信の緊急性があらかじめ低いことが分かっている場合には、迅速にロック解除を行うことができる。
【００５７】
また、ロック解除後に着信があった場合には、非接触通信を行うまでに要する時間が短時間であることが推定できるので、着信に対しては保留とすることが望ましい。これにより、迅速に非接触通信を完了させることができる。ただし、着信に対して通話を行うようにしてもよい。
【００５８】
また、ロック解除画面の表示からロック解除までに着信があった場合には、設定により保留と通話のどちらを選択してもよい。この設定は、ユーザ所望の優先順位に応じて決定することができる。
【００５９】
したがって、ＣＰＵ１８が有する報知制御部が、搬送波検出部２１により搬送波が検出されてからアンテナ１２により非接触通信の終了コマンドを受信するまでの期間に着信等の所定信号の受信があった場合、ＣＰＵ１８が有するロック状態制御部によりロック状態が解除されるまで所定信号の受信の報知を待機させ、ＣＰＵ１８が有する表示制御部が、この期間に所定信号の受信があった場合、所定信号の受信時にロック解除画面を表示部３８に表示させてもよい。これにより、着信等の所定信号の受信に対する応答よりも、ロック解除を優先させることができる。
【００６０】
また、ＣＰＵ１８が有する報知制御部が、搬送波が検出されてから非接触通信の終了コマンドを受信するまでの期間に着信等の所定信号の受信があった場合、この所定信号の受信時にこの所定信号の受信を報知部に報知させ、ＣＰＵ１８が有する表示制御部が、この期間に所定信号の受信があった場合、通話等のこの所定信号の受信に基づく通信が終了するまで、ロック解除画面の表示を待機させてもよい。これにより、ロック解除よりも、着信等の所定信号の受信に対する応答を優先させることができる。
【００６１】
次に、非接触通信時に、通信回線を介した所定信号の受信としてメール受信があった場合について説明する。図８はメール受信があった場合の携帯電話１０による非接触通信時のロック解除動作の一例を示すフローチャートである。この動作プログラムは、ＣＰＵ１８内のＲＯＭに格納されており、リーダライタ装置５からの搬送波信号を搬送波検出部２１が検出したことによる、ＣＰＵ１８の割り込み処理によって実行される。
【００６２】
まず、ＣＰＵ１８は、機能ロック部１８ａによって、非接触通信機能処理部１５がロック状態にあるか否かを判定する（ステップＳ１）。ロック状態にない場合、ＣＰＵ１８は、前述した通信（非接触通信）を開始し（ステップＳ７）、通信終了時に終了コマンドを送信する（ステップＳ８）。この後、ＣＰＵ１８は本動作を終了する。
【００６３】
一方、ステップＳ１でロック状態にある場合、ＣＰＵ１８は、メールを受信したか否かを判別する（ステップＳ１Ｃ）。メールを受信していない場合、ＣＰＵ１８はステップＳ２の処理に進む。一方、メールを受信している場合、ＣＰＵ１８は、メールを受信した旨の報知を行わず、メールに関する操作を禁止する（ステップＳ１Ｄ）。このメールに関する操作の禁止として、例えば、キー入力部３９を不能にすることが挙げられる。この後、ＣＰＵ１８はステップＳ２の処理に進む。
【００６４】
ＣＰＵ１８は、入力表示器１９の表示部３８にロック解除画面を表示する（ステップＳ２）。  ＣＰＵ１８は、ロック解除コード（ＰＩＮコード）の入力を促すロック解除画面３８ｂに対し、ユーザ３０がキー入力部３９から正しいロック解除コードが入力されたか否かを判別する（ステップＳ３）。所定回数もしくは所定時間経過しても正しいロック解除コードが入力されない場合、ＣＰＵ１８は本動作を終了する。
【００６５】
一方、ステップＳ３で正しいロック解除コードが入力された場合、ＣＰＵ１８は、ロックを解除し、受信デコード部２３および送信エンコード部２６を動作可能とする（ステップＳ４）。そして、ＣＰＵ１８は、前述した通信（非接触通信）を開始し（ステップＳ５）、通信終了時に終了コマンドを送信する（ステップＳ６）。通信終了後、ＣＰＵ１８は、メールに関する操作を可能にし（ステップＳ６Ｃ）、表示部３８等に未確認のメールがあることを報知させ、本動作を終了する。
【００６６】
このように、ＣＰＵ１８は、搬送波検出部２１により搬送波が検出されてからアンテナ１２により非接触通信の終了コマンドを受信するまでの期間にメール着信などの所定信号の受信があった場合、メール着信に対する操作（メールに関する操作）を禁止する操作制御部としての機能も有する。これにより、ロック解除を優先させて迅速に完了させることができる。
【００６７】
また、ＣＰＵ１８は、非接触通信時、ロック解除前に他の操作が行われた場合、例えばＴＶを見る場合や自装置である携帯電話１０からメールを送信する場合には、搬送波を検出してロック解除画面が表示された後は、これらの操作が行えなくなるよう制御してもよい。これにより、ＴＶ視聴やメール送信よりもロック解除を優先させることができる。
【００６８】
さらに、ＣＰＵ１８は、ロック解除動作の途中つまり搬送波の検出後ロック解除の前に、携帯電話１０の電源がＯＦＦになった場合、搬送波の検出結果は無効とする。
【００６９】
このように、本実施形態の非接触通信システム１では、ロック解除画面が表示された後、着信があっても、非接触通信が終了するまで保留にすることで、ロック解除を優先させることができる。また、ロック解除画面が表示される前は基本的には通話を優先させるまた、ロック解除画面が表示された後については、設定により通話を優先させることも可能である。
【００７０】
また、搬送波信号が検出されてから非接触通信が終了するまで、メールを受信してもキー入力部３９等を操作不能にすることで、非接触通信を優先させることができる。
【００７１】
なお、本発明は、上記実施形態の構成に限られるものではなく、特許請求の範囲で示した機能、または本実施形態の構成が持つ機能が達成できる構成であればどのようなものであっても適用可能である。
【００７２】
例えば、上記実施形態では、ロック解除方法として、ロック解除画面に対し、ＰＩＮコードを入力する場合を示したが、このようなキー入力に限られない。例えば、キー入力の代わりに、解除用のシールをカメラで読み込ませる、あるいはリーダ機能でタグＩＣを読み込ませ、画像認証処理を行うことにより、ロック解除が行われてもよい。さらには、指紋認証を行うことにより、ロック解除が行われてもよい。
【００７３】
また、上記実施形態では、ロック対象とされる携帯電話１０の機能は、非接触通信のカード機能のみであったが、このカード機能の他、リーダライタ機能、電話機能、メールの送受信機能などをロック対象に加えてもよい。
【００７４】
また、上記実施形態では、非接触通信機器として、非接触通信カード機能内蔵の携帯電話を示したが、本発明は各種の通信端末にも適用可能である。
【産業上の利用可能性】
【００７５】
本発明は、非接触通信機能のセキュリティ確保と短時間での非接触通信とを両立させることができる非接触通信機器等に有用である。
【符号の説明】
【００７６】
１  非接触通信システム
５  リーダライタ装置
７、１２  アンテナ
１０  携帯電話
１３  音声部
１４  通信部
１５  非接触通信機能処理部
１７ａ、１７ｂ  信号線
１８  ＣＰＵ
１８ａ  機能ロック部
１９  入力表示器
１９ａ  ＬＥＤ
２１  搬送波検出部
２３  受信デコード部
２６  送信エンコード部
３０  ユーザ
３８  表示部
３８ａ  待ち受け画面
３８ｂ  ロック解除画面
３９  キー入力部
４０  自動改札機
【図１】
2014225046.tif 000003
【図２】
2014225046.tif 000004
【図３】
2014225046.tif 000005
【図４】
2014225046.tif 000006
【図５】
2014225046.tif 000007
【図６】
2014225046.tif 000008
【図７】
2014225046.tif 000009
【図８】
2014225046.tif 000010
【図９】
2014225046.tif 000011